(57)【要約】【課題】長時間経過しても、ご飯やおかずが炊きたて時と同様の適温で食べられる弁当箱を提供すること。【解決手段】弁当箱本体が、外装材の内面に断熱材、断熱材の内面に面相発熱体が設けられた三層構造であり、面相発熱体の内側に、ご飯とおかずを入れる収容器が密接して配置され、本体の下面に設けた電源をスイッチオンすると面相発熱体が発熱して収容器を加温する。【選択図】図１
2011015936.tif 000002
【特許請求の範囲】
【請求項１】
弁当箱本体が、外装材と断熱材及び面相発熱体の三層構造からなる加温式弁当箱であって、外装材の内面に断熱材、断熱材の内面に沿って面相発熱体が設けられ、該面相発熱体の内側に、ご飯とおかずを入れる収容器が密接して配置され、本体の下面に設けた電源をスイッチオンすると面相発熱体が発熱して収容器を加温することを特徴とする加温式弁当箱。
【請求項２】
前記面相発熱体は、ほゞ６０〜７０度の設定温度を有し、電源がイオンリチウムバッテリー・乾電池等であり、弁当箱本体に着脱自在であることを特徴とする請求項１記載の加温式弁当箱。
【発明の詳細な説明】
【技術分野】
【０００１】  本発明は、時間が経ってもご飯が炊きたて時と同様の温度を維持でき、おいしく食べられる加温式弁当箱に関する。
【背景技術】
【０００２】  通常の弁当箱は、炊きたてのご飯を入れても時間が経つにつれ自然に温度が下がるため炊きたて時のようなおいしさを保つことはできない。このため弁当箱を主容器と断熱容器で構成したり容器の底部に保温剤を収容する構成とするなどして熱の逃げを可及的防止する手段を採るものがある（例えば特許文献１乃至３参照）。
【先行技術文献】
【特許文献】
【０００３】
【特許文献１】特開２００７−３１３２２９号公報
【特許文献２】特開２００５−１１０７３４号公報
【特許文献３】登録実用新案第３０７０６６３号公報
【発明の概要】
【発明が解決しようとする課題】
【０００４】  できるだけ保温状態を維持することを目的とした従来の弁当箱は、ご飯やおかずがそれなりの温かさを持っているため冷えたものよりも良好な味わいを実感できるが、冬場や低気温の場所に携帯したり持参して食事をするような場合、或いは炊きあがりより長時間経過したようなものは保温にも自ずから限界があって漸次本来の炊きたて直後とは異なった食感とならざるを得ない。ご飯のみならずおかずは種類によって冷めてしまうと急速に味が落ちるものがあり、この点従来の弁当箱ではカバーできないという問題があった。【０００５】  本発明はこのような従来技術に鑑みてなされたもので、長時間経過してもご飯やおかずが十分な適温を保ち、炊きたて時と同様のおいしさを失うことがないように配慮した加温式の弁当箱を提供しようとするものである。
【課題を解決するための手段】
【０００６】  すなわち本発明は、弁当箱本体が、外装材と断熱材及び面相発熱体の三層構造からなる加温式弁当箱であって、外装材の内面に断熱材、断熱材の内面に沿って面相発熱体が設けられ、該面相発熱体の内側に、ご飯とおかずを入れる収容器が密接して配置され、本体の下面に設けた電源をスイッチオンすると面相発熱体が発熱して収容器を加温することを特徴としている。【０００７】  前記面相発熱体は、ほゞ６０〜７０度の設定温度を有し、電源がイオンリチウムバッテリー・乾電池等であり、弁当箱本体に着脱自在であることを特徴とする。
【発明の効果】
【０００８】  本発明ではご飯等を収納する収容器は、面相発熱体の内側に配置され周壁全面を面相発熱体で囲繞されているため面相発熱体の発熱温度が直接伝わって常時温められ、ご飯やおかずは経時変化によって冷めるということがなく、また例え冷めた状態でそれらが容器本体に収納されても時間が経つにつれて温められるため適温状態で食べることができる。【０００９】  従来の保温弁当ではご飯などの内容物が高温を保つことは困難とされたが、本発明の弁当箱は冬場や寒冷時でも炊きたて時の温度がそのまゝ維持されるため随時随所で温められた状態の食事をすることができ、例えば室外作業や野外夜間労働などの際に携行することにより、あたかも室内で食事をするような温かい感触で味わうことができる。【００１０】  収容器を温める面相発熱体は、炭素繊維発熱体のような安価にして取り扱い易い素材を利用することができ、安全性が高いため感電や発火のおそれがなく、従来の保温弁当箱と異なり全体の構造も複雑とならないため軽量で持ち運びに便利などの実益がある。
【図面の簡単な説明】
【００１１】
【図１】弁当箱本体を示す蓋体を除外した概略平面図である。
【図２】同上の底面図である。
【図３】上部を断面とした弁当箱本体の側面図である。
【図４】弁当箱本体に収容器を収納する説明図である。
【図５】面相発熱体の一例を示す説明図である。
【発明を実施するための形態】
【００１２】  図面に基づき本発明を実施する形態につき説明すると、１０は弁当箱本体であり、アルマイト等の素材からなる外装材１１と、発泡スチロール等の断熱材１２及び面相発熱体１３の三層構造で形成される。外装材１１と断熱材１２の表面には図示しないが薄手のカバーが被装され、外装材１１の内面に断熱材１２、その内面に面相発熱体１３が配置される。
【００１３】  面相発熱体１３は例えば合成樹脂材１３ａの両側に電極１３ｂを設け、電極１３ｂ間に合成樹脂素材にカーボンを練り込んで形成した導電糸１３ｃを並列配置してなる反物状の炭素繊維発熱体などが適切するが、ニクロム線などを組み込んだものでも可能であり、要は弁当箱本体１０の周壁内側に沿って配置できる可撓性に富んだものが採用される。面相発熱体１３は弁当箱本体１０の下面に設けた電源１４とコードを介して連なり、弁当箱本体１０の適所に設けたスイッチ（不図示）をオンすることで通電し所定温度まで熱せられる。好ましくは６０〜７０度の設定温度が相応しく、こうすることでご飯ＡやおかずＢを収納した収容器１５を同程度の温度に温めることができる。電源１４にはイオンリチウムバッテリー、ポリバーリチウムバッテリーのほか通常の乾電池を使用しても良い。
【００１４】  収容器１５はタッパー（登録商標）は当然として日常使われる合成樹脂弁当箱様のものを使用でき、ご飯ＡとおかずＢを仕切りを介して左右同列に詰めたり別容器に上下に分けて詰めるなど任意形状のものを使用することが可能ではあるが、周壁全面が面相発熱体１３の内側に密接し且つ本体１０より容易に着脱できる形態のものであることが望ましい。
【００１５】  すなわち炊きたてのご飯ＡとおかずＢを入れ蓋１５ａを被せた状態で収容器１５を弁当箱本体１０内に納め、本体１０の上部にも蓋体１０ａを被せると収容器１６は密閉状態となる。そこでスイッチを投入して電源１４をオンにすると面相発熱体１３は漸次発熱状態となり、設定温度である６０〜７０度の高温に上昇する。面相発熱体１３の内面側に密接している収容器１５も設定温度に応じて加熱され、これに伴い収容器１５内部のご飯ＡとおかずＢが熱せられる。炊きたてのご飯であれば収容器１５が熱せられるとその炊きたて時と同程度の温度が維持されるため、例えば朝に持参した弁当のご飯は炊きあがりのような程よい温かさを維持するので昼飯は温かなふっくらご飯を堪能できる。なお食事時には収容器１５は本体１０に入れたまゝでも本体１０から取り出しても差し支えはないが、安全のため面相発熱体１３の電源１４はオフにする。
【００１６】  なお弁当箱本体１０、収容器１５の形状等は図示したものに拘束されるものではなく、また面相発熱体１３も前記した設定温度の前後の数値を含み、更には弁当箱本体１０、蓋体１０ａなどに把手を取り付けること、その他本発明の目的効果を奏する範囲における付加事項などを設けることは何ら本発明の実施の範囲を逸脱するものではない。
【符号の説明】
【００１７】  １０  弁当箱本体
１１  外装材
１２  断熱材
１３  面相発熱体
１４  電源
１５  収容器
【図１】
2011015936.tif 000003
【図２】
2011015936.tif 000004
【図３】
2011015936.tif 000005
【図４】
2011015936.tif 000006
【図５】
2011015936.tif 000007
【手続補正書】
【提出日】平成21年8月4日(2009.8.4)
【手続補正１】
【補正対象書類名】明細書
【補正対象項目名】０００６
【補正方法】変更
【補正の内容】
【０００６】すなわち本発明は、弁当箱本体が、外装材と断熱材及び面相発熱体の三層構造からなる加温式弁当箱であって、外装材の内面に断熱体として、断熱材もしくは真空断熱構造、断熱体の内面に沿って面相発熱体が設けられ、該面相発熱体の内側に、ご飯とおかずを入れる収容器が密接して配置され、本体の下面に設けた電源をスイッチオンすると面相発熱体が発熱して収容器を加温することを特徴としている。
【手続補正２】
【補正対象書類名】明細書
【補正対象項目名】００１２
【補正方法】変更
【補正の内容】
【００１２】図面に基づき本発明を実施する形態につき説明すると、１０は弁当箱本体であり、アルマイト等の素材からなる外装材１１と、発泡スチロール等または、真空断熱構造等による断熱体１２及び面相発熱体１３の三層構造で形成される。外装材１１と断熱体１２の表面には図示しないが薄手のカバーが被装され、外装材１１の内面に断熱体１２、その内面に面相発熱体１３が配置される。
【手続補正書】
【提出日】平成22年1月29日(2010.1.29)
【手続補正１】
【補正対象書類名】特許請求の範囲
【補正対象項目名】請求項２
【補正方法】変更
【補正の内容】
【請求項２】
前記面相発熱体は、ほぼ摂氏５０〜１００度の温度設定を有し、電源が充電式バッテリー（リチウムイオン電池・リチウムポリマー電池・ニッケル水素電池等）・乾電池・家庭用１００ｖ電源であり、弁当箱本体に着脱自在であることを特徴とする請求項１記載の加温式弁当箱。
【手続補正２】
【補正対象書類名】明細書
【補正対象項目名】００１２
【補正方法】変更
【補正の内容】
【００１２】  図面に基づき本発明を実施する形態につき説明すると、１０は弁当箱本体であり、金属、プラスチック、または樹脂等の素材からなる外装材１１と、断熱体１２及び面相発熱体１３の三層構造で形成される。外装材１１と断熱体１２の表面には図示しないが薄手のカバーが被装され、外装材１１の内面に断熱体１２、その内面に面相発熱体１３が配置される。
【手続補正３】
【補正対象書類名】明細書
【補正対象項目名】００１３
【補正方法】変更
【補正の内容】
【００１３】  面相発熱体１３は例えば合成樹脂材１３ａの両側に電極１３ｂを設け、電極１３ｂ間に合成樹素材にカーボンを練りこんで形成した導電糸１３ｃを並列配置してなる反物状の炭素繊維発熱体などが適切するが、ニクロム線などを組み込んだものも可能であり、要は弁当箱本体１０の内壁に沿って配置できる可撓性に富んだものが採用される。また、収容器の上部や底部にも面相発熱体を配置することにより、加温効率を高めることもできる（不図示）。面相発熱体１３は弁当箱本体１０の下面に設けた電源１４とコードを介して連なり、弁当箱本体１０の適所の設けたスイッチ（不図示）をオンすることで通電し、所定温度まで加温される。好ましくは摂氏５０〜１００度の温度設定が相応しく、こうすることでご飯ＡやおかずＢを収納した収容器１５を同程度の温度に加温することができる。電源１４は着脱式とし、充電式バッテリー（リチウムイオン電池・リチウムポリマー電池・ニッケル水素電池等）・乾電池、または家庭用１００ｖ電源の使用も可能とする。
【手続補正３】
【補正対象書類名】明細書
【補正対象項目名】００１４
【補正方法】変更
【補正の内容】
【００１４】収容器１５は、タッパー（登録商標）は当然として、日常使われる合成樹脂弁当箱様のものを使用でき、ご飯ＡとおかずＢを仕切りを介して左右同列に詰めたり、上下に分けて詰めるなど任意形状のものを使用することが可能ではあるが、内壁全面が面相発熱体１３の内側に密接し、且つ本体１０より容易に着脱できる形態のものであることが望ましい。
【手続補正４】
【補正対象書類名】明細書
【補正対象項目名】００１５
【補正方法】変更
【補正の内容】
【００１５】  すなわち、炊きたてのご飯ＡとおかずＢを入れ、蓋１５ａを被せた状態で収容器１５を弁当箱本体１０に収め、本体１０の上部にも蓋体１０ａを被せると収容器１６は密閉状態となる。そこでスイッチを投入して電源１４をオンにすると、面相発熱体１３は漸次発熱状態となり、設定温度である摂氏５０〜１００度の高温に上昇する。面相発熱体１３の内面側に密接している収容器１５も設定温度に応じて加温され、これに伴い収容器１５内部と、ご飯ＡとおかずＢが熱せられる。炊きたてのご飯であれば、収容器１５加温されると、その炊きたて時と同程度の温度が維持されるため、例えば朝に持参した弁当のご飯は、炊きあがりのような程よい温かさを維持するため、昼食は温かなふっくらご飯を堪能できる。なお、食事時には収容器１５は本体１０に入れたままでも、本体１０から取り出しても差し支えはないが、安全のため面相発熱体１３の電源１４はオフにする。